(57)【特許請求の範囲】
【請求項１】
着脱自在な外部メモリに格納されたファイルから印刷対象ファイルを指定入力するファイル指定手段と、前記ファイル指定手段に指定入力するためのファイルの識別情報であるファイル名と当該ファイル名に対応した番号を印刷する識別情報出力手段とを備え、前記ファイル指定手段に指定入力された識別情報に対応するファイルを前記外部メモリから読み出して印刷出力する画像形成装置であって、
前記識別情報出力手段は、前記外部メモリに前記ファイルとともに格納された補助ファイルであるフォントデータファイルに基づいて、各ファイルの識別情報であるファイル名と当該ファイル名に対応した番号を含む画像を生成して印刷出力するように構成されている画像形成装置。
【請求項２】
前記識別情報出力手段は、前記外部メモリに前記識別情報を印刷するための補助ファイルであるフォントデータファイルが検出されないときに、ネットワーク接続された外部機器から当該補助ファイルを取得する補助ファイル取得手段と、取得した補助ファイルを前記外部メモリに格納する補助ファイル格納手段を備えている請求項１記載の画像形成装置。
【請求項３】
前記補助ファイル格納手段は、前記補助ファイル取得手段により取得されたフォントデータファイルから、少なくとも前記外部メモリに格納されている前記ファイルに対する印刷用の識別情報を生成するために必要な容量に調整したフォントデータファイルを生成して、当該容量を調整したフォントデータファイルを前記外部メモリに格納する請求項２記載の画像形成装置。
【請求項４】
前記外部メモリに前記補助ファイルを格納する残容量が無いときに、警告メッセージを出力するメッセージ出力手段を備えている請求項２記載の画像形成装置。
【発明の詳細な説明】
【技術分野】
【０００１】
本発明は、着脱自在な外部メモリに格納されたファイルから印刷対象ファイルを指定入力するファイル指定手段と、前記ファイル指定手段に指定入力するためのファイルの識別情報を印刷する識別情報出力手段とを備え、前記ファイル指定手段に指定入力されたファイルを印刷出力する画像形成装置に関する。
【背景技術】
【０００２】
近年では、メモリカードを直接プリンタに装着し、当該メモリカードに格納されているファイルを印刷することのできるプリンタ等が開発され、市販されている。特に、デジタルカメラの普及により、撮影した画像ファイルをメモリカード等に格納し、当該メモリカード等に格納されている前記画像ファイルを、パソコン等を介さずに直接印刷できる、所謂フォトダイレクトプリンタも多く見受けられる。
【０００３】
これらのプリンタでは、前記メモリカード等に格納された複数のファイルから、何らかの手段を用いて、印刷対象ファイルを指定する必要がある。例えば、特許文献１では、メモリカードがセットされると、セットされたメモリカードにストアされているファイルの一覧がハードディスク１７０のメモリカードボックス領域にストアされ、領域表示要求に応答して、画像データファイルがストアされている領域が個人用記憶領域と、セットされたメモリカードから抽出され、操作部１５０に表示される。ついで、領域としてメモリカードが選択されると、ハードディスク１７０の外部記憶用記憶領域にストアされているファイルの一覧が表示され、さらに、ファイル一覧からファイルが選択され、プリント要求が行われると、選択されたファイルの内容がメモリカードからプリンタ部に供給されるように構成された画像処理装置が提案されている。
【０００４】
特許文献２では、操作パネルによってユーザに選択された印刷操作に対応する色のバンドと、スロットに差し込まれたメモリカードに記憶された各画像ファイルの内容を表示するサムネイル表示部と、各画像ファイルの中から印刷操作を実行したい画像ファイルをユーザが選択可能なマーク部とを含む印刷用インデックスシートを印刷し、その後、ユーザが前記マーク部を塗り潰すことにより印刷を希望する画像ファイルを選択したあとの前記印刷用インデックスシートをスキャンして、前記バンドの色から処理操作が印刷であることを認識し、選択された画像ファイルの印刷を実行する多機能プリンタが提案されている。
【０００５】
特許文献３では、メモリに取込んだ複数の画像データをビデオモニタに所定の大きさでｍ×ｎに整列させて表示する選択画像表示手段と、カーソルを停止させた位置にある画像を選択画像候補とする画像選択手段と、画像選択確認手段と、ビデオモニタの画面内で自在に移動可能に構成されたカーソルと、を有し、前記画像データを前記ビデオモニタの画面に表示している場合に、カーソルを未だ画像の表示されていない位置に移動し停止させたときは、前記カーソルの現在位置に表示すべき画像を表示してから、前後に向って遡及して画像を表示し、カーソルの停止位置に表示されている画像を印刷出力画像候補とすることを特徴とするダイレクトプリンタアダプタが提案されている。
【０００６】
【特許文献１】特開２００１−１５７０１１号公報
【特許文献２】特開２００４−２５５７２９号公報
【特許文献３】特開平１０−１２６７２４号公報
【発明の開示】
【発明が解決しようとする課題】
【０００７】
しかし、前記メモリカード等の外部メモリに格納された複数のファイルのうち、選択したいファイルが画像ファイルで無い場合、特許文献２で提案されていた多機能プリンタと特許文献３で提案されていたダイレクトプリンタアダプタでは、当該ファイルを選択することができず、また、選択したいファイルが画像ファイルであっても複雑な画像である場合などには、サムネイル画像からでは十分に選択したいファイルの判別を行うことができなかった。
【０００８】
また、ある種の業務用プリンタの様に表示エリアが小さいとき、または表示エリアを備えないとき、特許文献１で提案されていた画像処理装置や特許文献３で提案されていたダイレクトプリンタアダプタでは、ファイルの一覧やサムネイル画像を表示するための表示領域を十分に確保することができず、ファイル選択に支障を及ぼす虞があった。
【０００９】
更に、標準では半角の英数字や記号等の１バイト系文字のフォントデータファイルのみを備えた画像形成装置で、ネットワーク接続されたパソコン等が、ひらがなや全角カタカナ、漢字等の２バイト系文字を含む印刷対象ファイルを、ビットマップ画像等に変換した印刷データとして送信し、前記印刷データを解析することで２バイト系文字を含む印刷対象ファイルの印刷を実行するような画像形成装置が存在するが、特許文献１で提案された画像処理装置が、このような標準で１バイト系文字のフォントデータファイルのみを備えた画像処理装置であれば、セットされたメモリカードにストアされたファイルが２バイト系文字からなるときには、対応するフォントデータが存在しないために、ファイルを指定するためのファイルの一覧を表示することはできないという問題があった。
【００１０】
本発明は、上述の従来欠点に鑑み、印刷対象ファイルの選択を行う上で必要なフォントデータファイルを備えない画像形成装置であっても、ファイルの識別情報を印刷する識別情報出力手段を備えることで、装着した外部メモリに格納された複数のファイルから、前記印刷対象ファイルを確認することができる画像形成装置を提供することを目的とする。
【課題を解決するための手段】
【００１１】
上述の目的を達成するため、本発明による画像形成装置の第一の特徴構成は、特許請求の範囲の書類の請求項１に記載した通り、着脱自在な外部メモリに格納されたファイルから印刷対象ファイルを指定入力するファイル指定手段と、前記ファイル指定手段に指定入力するためのファイルの識別情報であるファイル名と当該ファイル名に対応した番号を印刷する識別情報出力手段とを備え、前記ファイル指定手段に指定入力された識別情報に対応するファイルを前記外部メモリから読み出して印刷出力する画像形成装置であって、前記識別情報出力手段は、前記外部メモリに前記ファイルとともに格納された補助ファイルであるフォントデータファイルに基づいて、各ファイルの識別情報であるファイル名と当該ファイル名に対応した番号を含む画像を生成して印刷出力するように構成されている点にある。
【００１２】
上述の構成によれば、画像形成装置が、外部メモリに格納されたファイルの識別情報を印刷出力するために必要なフォントデータを含む補助ファイルを備えていないときにも、前記外部メモリに自身に格納されたフォントデータを含む補助ファイルに基づいて前記識別情報を印刷することができるため、前記外部メモリに格納されたファイルから印刷対象ファイルを確実に指定することができる。例えば、前記外部メモリに格納されたファイルの前記識別情報の印刷出力にひらがなや全角カタカナ、漢字等の２バイト系フォントが必要であるときに、画像形成装置が半角の英数字や記号等の１バイト系フォントしか備えていなくても、前記外部メモリに格納された補助ファイルが２バイト系フォントであれば、当該２バイト系フォントに基づいて印刷することができる等、画像形成装置は、文字情報からなる前記識別情報を、前記補助ファイルに基づいて印刷することができる。
【００１３】
同第二の特徴構成は、同請求項２に記載した通り、上述の第一の特徴構成に加えて、前記識別情報出力手段は、前記外部メモリに前記識別情報を印刷するための補助ファイルであるフォントデータファイルが検出されないときに、ネットワーク接続された外部機器から当該補助ファイルを取得する補助ファイル取得手段と、取得した補助ファイルを前記外部メモリに格納する補助ファイル格納手段を備えている点にある。
【００１４】
上述の構成によれば、画像形成装置と前記画像形成装置に装着された前記外部メモリが、前記外部メモリに格納されたファイルの識別情報を出力するために必要な補助ファイルを備えていないときは、ネットワーク接続され、前記補助ファイルを備えた外部機器から前記補助ファイルを取得して前記外部メモリに格納するため、前記外部メモリに格納した前記補助ファイルに基づいて前記識別情報を確実に印刷することができる。更に、前記外部メモリは、前記識別情報の印刷出力に必要な前記補助ファイルが格納された状態となるため、再度、前記外部メモリに格納されたファイルの前記識別情報を印刷出力する際に、改めて前記外部機器より前記補助ファイルを取得する必要が無く、作業効率を向上させることができる。
【００１５】
同第三の特徴構成は、同請求項３に記載した通り、上述の第二の特徴構成に加えて、前記補助ファイル格納手段は、前記補助ファイル取得手段により取得されたフォントデータファイルから、少なくとも前記外部メモリに格納されている前記ファイルに対する印刷用の識別情報を生成するために必要な容量に調整したフォントデータファイルを生成して、当該容量を調整したフォントデータファイルを前記外部メモリに格納する点にある。
【００１６】
例えば、ＪＩＳ（Ｊａｐａｎ  Ｉｎｄｕｓｔｒｉａｌ  Ｓｔａｎｄａｒｄ：日本工業規格）コードでは、第一水準として漢字２９６５文字、ひらがな８３文字、カタカナ８６文字、数字１０文字、英字５２文字、特殊記号１４７文字、ギリシャ文字４８文字、ロシア文字６６文字、罫線文字３２文字の合計３４８９字が、第二水準として部首字形を含めた３３８８文字、このほか補助漢字として５８０１文字が定められており、全ての文字についてのフォントデータファイルを用意するとその容量は大きなものとなる。
【００１７】
しかし、前記識別情報を印刷するために必要なフォントデータとして、上述の全ての文字のフォントデータが必要である可能性は極めて低い。
【００１８】
上述の構成によれば、少なくとも前記識別情報の印刷に必要な容量のフォントデータファイルを前記外部メモリに格納するため、確実に前記識別情報を印刷出力することができると共に、前記外部メモリにフォントデータファイルを格納するための十分な残容量がないときは、前記識別情報の印刷に必要なフォントデータを絞り込み、前記フォントデータファイルの容量を調整することで、前記フォントデータファイルの格納が不可能となる確率を大幅に下げることができる。
【００１９】
同第四の特徴構成は、同請求項４に記載した通り、上述の第二の特徴構成に加えて、前記外部メモリに前記補助ファイルを格納する残容量が無いときに、警告メッセージを出力するメッセージ出力手段を備えている点にある。
【００２０】
上述の構成によれば、使用者は前記メッセージの出力を受け、前記フォントデータファイルの格納や前記識別情報の印刷が難しいことを認識することができ、例えば、前記外部メモリに格納されたファイルを、別途用意した容量の大きな外部メモリにコピーして作業を再開する等、前記フォントデータファイルの格納を可能とし、前記識別情報の印刷が可能となる対策を講じることができる。
【発明の効果】
【００２１】
以上説明した通り、本発明によれば、印刷対象ファイルの選択を行う上で必要なフォントデータファイルを備えない画像形成装置であっても、ファイルの識別情報を印刷する識別情報出力手段を備えることで、装着した外部メモリに格納された複数のファイルから、前記印刷対象ファイルを確認することができる画像形成装置を提供することができるようになった。
【発明を実施するための最良の形態】
【００２２】
以下に本発明による画像形成装置を説明する。
【００２３】
本発明による画像形成装置の一例であるプリンタ３は、図２に示すように、パーソナルコンピュータ等の外部機器２が接続されたネットワーク１と接続され、前記ネットワーク１を介して前記外部機器２から出力されたデータを受信し、前記データに基づき、印刷を実行するように構成されている。前記プリンタ３は、前記外部機器２から出力されたデータや前記外部メモリに格納されたデータを印刷前にプレ表示する表示部３３ａと印刷枚数の指定や印刷実行の中止等の操作で使用するハードキー群３３ｂと前記プリンタ３に着脱自在なＵＳＢメモリ３５からなる外部メモリを装着する外部メモリ装着部３３ｃからなる操作部３３と、記録媒体としての用紙を収納する用紙トレイ３１と、印刷された用紙が排出される排出トレイ３２とを備えている。
【００２４】
更に、前記プリンタ３は、図１に示すように、印刷するデータに基づき画像形成を行う画像形成手段と、用紙を供給し、排出する用紙搬送手段等からなり、プリント制御部３００に制御されるプリント部３０と、操作制御部３０１に制御される前記操作部３３と、ネットワーク制御部３０２に制御され、前記ネットワーク１と接続するインターフェース部３４と、該プリンタ３を統括制御するマイクロコンピュータや、ＲＯＭやＲＡＭ等のメモリ３６を備えたシステム制御部３０３により構成される。
【００２５】
本実施例では、前記外部メモリとして、ＵＳＢメモリを用いるものとするが、これに限定するものではなく、コンパクトフラッシュカード(「コンパクトフラッシュ」は、米国ＳａｎＤｉｓｋ社の登録商標)等のメモリカード等からなる不揮発性メモリや、ＭＯディスクや、ＣＤ−ＲＯＭ等、ファイルを格納でき、画像形成装置に対して着脱自在なメディアであればよい。
【００２６】
前記システム制御部３０３の備えるメモリ３６には、フォントデータファイルが格納され、本実施例において、前記プリンタは海外仕様製品として製造、販売されるものであり、前記メモリ３６には、１バイト系フォントデータファイルが格納されている。但し、前記プリンタ３は、２バイト系フォントデータファイルを備えると、２バイト系文字による、操作画面や印刷対象ファイルのファイル名を、２バイト系文字により前記表示部３３ａに表示することができ、２バイト系フォントによる印刷も可能に構成されている。ここで、前記フォントデータファイルは、本発明における補助ファイルである。
【００２７】
前記操作制御部３０１は、ＣＰＵと前記ＣＰＵの動作プログラムが格納されたＲＯＭと作業領域となるＲＡＭ等を備え、これらが協動して、様々な機能を果たすように構成されている。
【００２８】
前記操作制御部３０１は、本発明に関する機能を実行する手段として、前記外部メモリ装着部３３ｃへの前記ＵＳＢメモリ３５の着脱を検知する着脱検知手段３０１ａと、前記着脱検知手段３０１ａにより前記外部メモリ装着部３３ｃへ前記ＵＳＢメモリ３５の装着が検知されたときに、前記ＵＳＢメモリ３５の残容量を確認する残容量確認手段３０１ｂと、前記ＵＳＢメモリ３５に格納されたファイルから印刷対象ファイルを指定入力するファイル指定手段３０１ｃと、前記メモリ３６に格納されたフォントデータファイルに基づいて、前記ファイル指定手段３０１ｃに指定入力するためのファイルの識別情報を印刷する識別情報出力手段３０１ｄと、前記ＵＳＢメモリ３５の残容量では、後述する補助ファイル格納手段３０１ｄ３が前記外部機器２より取得した前記フォントデータファイルを格納することができないときに警告メッセージを出力するメッセージ出力手段３０１ｅと、前記識別情報出力手段３０１ｄが前記識別情報を印刷する際に用いるフォントデータファイルを、前記メモリ３６に格納されたフォントデータファイルから、前記ＵＳＢメモリ３５に格納されたフォントデータファイルに切替える補助ファイル切替手段３０１ｆとを備えている。
【００２９】
ここで、前記識別情報出力手段３０１ｄが印刷する前記識別情報は、前記ＵＳＢメモリ３５に格納されたファイルのファイル名と、前記ファイル名と対応して付与する連続番号の一覧である。
【００３０】
前記ファイル指定手段３０１ｃは、前記識別情報出力手段３０１ｄが印刷した前記識別情報を参照した使用者が、前記連続番号を前記ハードキー群３３ｂに配された数字キーを押圧すると、前記連続番号に対応する前記印刷対象ファイルを指定入力し、前記プリント制御部３００に指示し、前記印刷対象ファイルを印刷するように構成されている。
【００３１】
前記識別情報出力手段３０１ｄは、前記メモリ３６に格納された前記フォントデータファイルから前記識別情報を印刷することができないときに、前記識別情報を印刷するために用いるフォントデータファイルが前記ＵＳＢメモリ３５に格納されているか否かを確認する補助ファイル確認手段３０１ｄ１と、前記ＵＳＢメモリ３５に前記フォントデータファイルが確認できないときに、前記ネットワーク１に接続された前記外部機器２から必要なフォントデータファイルを取得する補助ファイル取得手段３０１ｄ２と、前記残容量確認手段３０１ｂが確認した残容量に合わせて、前記外部機器２より取得したフォントデータファイルの容量を調整する補助ファイル容量調整手段３０１ｄ３と、前記外部機器２より取得したフォントデータファイルを前記ＵＳＢメモリ３５に格納する補助ファイル格納手段３０１ｄ４とを備えている。
【００３２】
ここで、前記外部機器２に格納されたフォントデータファイルは、前記プリンタ３の前記ネットワーク１への接続時等に、予め前記外部機器２に格納した前記プリンタ３用の２バイト系フォントデータファイルである。
【００３３】
詳述すると、前記２バイト系フォントデータファイルは、前記識別情報の印刷出力にのみ用いられるものであり、文字の拡大縮小を要するものでもないため、容量の大きなアウトライン形式のフォントデータファイルではなく、特定のドット数で構成されるビットマップ形式のフォントで構成され、その容量が小さく抑えられている。前記２バイト系フォントデータファイルの容量を小さく抑えることは、前記外部機器２から取得する際の転送時間を小さくすることができ、作業効率の低下を抑えることができる。
【００３４】
前記２バイト系フォントデータファイルの容量は、例えば、ＪＩＳコード文字を基準に算出すると、前記ＪＩＳコード文字で定義される文字数は約６０００文字であり、１文字を３２ドット×３２ドットで構成して、１文字あたりの容量は１０２４ビットとなる。つまり、ＪＩＳコード文字全体では、７６８Ｋバイトの容量となる。一般に、アウトライン形式のフォントデータファイルの容量は、数Ｍバイトから１０数Ｍバイトとなるため、較べて容量を小さく抑えることができる。
【００３５】
前記識別情報は、使用者が前記操作部３３の前記ハードキー群３３ｂの１つである、図示しない「Ｆｉｌｅ  Ｌｉｓｔ  Ｏｕｔｐｕｔ」と表示された「格納ファイル一覧出力」キーを押圧すると、前記識別情報生成手段３０１ｄが起動し、前記プリント制御部３００に指示することで印刷出力される。
【００３６】
詳述すると、使用者が前記「格納ファイル一覧出力」キーを押圧すると、前記識別情報生成手段３０１ｄが起動し、図３に示すように、前記着脱検知手段３０１ａに指示して前記ＵＳＢメモリ３５の装着を検知し、前記メモリ３６に格納されたフォントデータファイルに基づき、前記ＵＳＢメモリ３５に格納されたファイルの識別情報を生成し、前記プリント制御部３００に指示して前記識別情報を印刷する。
【００３７】
ここで、前記メモリ３６に格納されたフォントデータファイルを用いて、前記識別情報を印刷できないときには、前記識別情報出力手段３０１ｄは、自身が備える前記補助ファイル確認手段３０１ｄ１により、前記ＵＳＢメモリ３５に前記識別情報の印刷に用いるフォントデータファイルが格納されているか否かを確認し、前記ＵＳＢメモリ３５に前記フォントデータファイルが格納されていないときには、前記補助ファイル取得手段３０１ｄ２が、前記ネットワーク制御部３０２に指示して、前記外部機器２に格納された、前記識別情報の印刷出力に用いるフォトデータファイルを取得する。
【００３８】
前記外部機器２より取得した前記フォントデータファイルは、前記補助ファイル格納手段３０１ｄ４により前記ＵＳＢメモリ３５に格納されるが、前記補助ファイル格納手段３０１ｄ４は、前記フォントデータファイルの格納に先立ち、前記残容量確認手段３０１ｂより前記ＵＳＢメモリ３５の残容量を取得し、前記残容量と前記フォントデータファイルの容量を比較する。
【００３９】
前記補助ファイル格納手段３０１ｄ４は、前記残容量が大きいときには、前記フォントデータファイルをそのまま格納するが、前記残容量が小さいときには、前記メッセージ出力手段３０１ｅに指示し、前記表示部３３ａに警告メッセージを表示する警告画面を表示する。
【００４０】
前記警告画面は、図４に示すように、前記ＵＳＢメモリ３５の残容量が足りず、前記フォントデータファイルを格納することができない旨の警告メッセージを表示するものであり、前記フォントデータファイルの容量調整を行うか否かの判断を使用者に仰ぐものである。
【００４１】
使用者は、前記操作部３３の前記ハードキー群３３ｂに配置された、図示しない「Ｅｎｔｅｒ」ボタンを押圧することで前記容量調整を実行し、前記ハードキー群３３ｂに配置された、図示しない「Ｃａｎｃｅｌ」ボタンを押圧することで前記容量調整を中止することができる。
【００４２】
前記「Ｅｎｔｅｒ」ボタンが押圧されると、前記補助ファイル容量調整手段３０１ｄ３は、前記フォントデータファイルの容量を、前記識別情報が印刷でき、且つ、前記残容量の範囲に収まるものに調整する。また、前記「Ｃａｎｃｅｌ」ボタンが押圧されると、前記識別情報生成手段３０１ｄは、前記識別情報の印刷を中止する。
【００４３】
前記補助ファイル容量調整手段３０１ｄ３は、前記識別情報の印刷に必要な、前記ＵＳＢメモリ３５に格納されたファイルのファイル名に使用されている文字のフォントデータと、それに対応して付与する前記連続番号に使用する数字フォントデータを必要なフォントデータとして残し、他の文字に関するフォントデータを前記残容量に合わせて取捨選択することで、前記容量調整を行うように構成されている。
【００４４】
前記補助ファイル容量調整手段３０１ｄ３により、容量調整された前記フォントデータファイルは、前記補助ファイル格納手段３０１ｄ４により、前記ＵＳＢメモリ３５に格納される。
【００４５】
前記フォントデータファイルが前記ＵＳＢメモリ３５に格納されると、前記補助ファイル切替え手段３０１ｆは、前記識別情報出力手段３０１ｄが前記識別情報を印刷出力する際に用いるフォントデータファイルを、前記メモリ３６に格納された前記フォントデータファイルから前記ＵＳＢメモリ３５に格納された前記フォントデータファイルに切替えるように前記識別情報出力手段３０１ｄに指示し、前記識別情報出力手段３０１ｄは、前記ＵＳＢメモリ３５に格納された前記フォントデータファイルに基づき、前記識別情報を生成し、前記プリント制御部３００に指示し、前記識別情報を印刷出力する。
【００４６】
上述のように、前記プリンタ３は、例えば、前記ＵＳＢメモリ３５に格納されたファイルのファイル名に平仮名や漢字などの２バイト系文字が使用されているとき、前記メモリ３６に格納された１バイト系フォントデータファイルでは、前記識別情報を印刷することはできないが、前記外部機器２から前記２バイト系フォントデータファイルを取得し、前記識別情報を印刷出力することができる。
【００４７】
以下に、別実施例について説明する。
【００４８】
上述の実施例では、前記ＵＳＢメモリ３５に格納されたフォントデータファイルが、前記補助ファイル容量調整手段により容量調整されたものであるとき、前記ＵＳＢメモリ３５に格納されたファイルに追加、またはファイル名が変更されると前記識別情報を印刷出力することができない虞があるが、この対策として、前記識別情報出力手段３０１ｄに補助ファイル整合手段３０１ｄ７を備え、前記識別情報の印刷出力を実行する前に、前記補助ファイルを用いての前記識別情報の印刷出力が可能か否かの整合を取り、出力不能と判断したときには、前記補助ファイル取得手段３０１ｄ２に指示して、前記外部機器２より改めて補助ファイルを取得する構成とすればよい。
【００４９】
上述の実施例では、前記識別情報は、前記ＵＳＢメモリ３５に格納されたファイルのファイル名と、前記ファイル名と対応して付与した連続番号からなる一覧であったが、これに限定するものではなく、前記ファイル名と対応して、前記ファイルの作成日や、テキストファイルや画像ファイルなどのファイル種別や、ファイル容量などを加えて構成される一覧としても良く、前記ファイル指定手段により印刷対象ファイルを指定入力できるものであればよい。この場合、一覧を構成する前述の要素が多くなると、使用者が印刷対象ファイルを選択する際に、より正確な情報に基づき選択することができる。
【００５０】
上述の実施例では、前記メッセージ出力手段３０１ｅは、前記ＵＳＢメモリ３５に前記外部機器より取得したフォントデータファイルを格納する残容量が無いときに、前記フォントデータファイルの容量調整を行うか否かの確認を促す警告メッセージを出力する構成としたが、前記フォントデータファイルの容量調整を実行する旨の警告メッセージを出力する構成としても良く、この場合、使用者の意思に関わらず、自動的に前記容量調整が実行されるため、使用者の意思確認を行う間のタイムラグは生じず、作業効率を向上させることができる。
【００５１】
上述の実施例では、前記プリンタ３は、前記ＵＳＢメモリ３５に前記外部機器より取得したフォントデータファイルを格納する残容量が無いときに、警告メッセージを出力するメッセージ出力手段３０１ｅを備える構成としたが、前記メッセージ出力手段３０１ｅを備えず、前記ＵＳＢメモリ３５の残容量に前記フォントデータファイルを格納することができないときには、警告メッセージを出力することなく、前記補助ファイル容量調整手段３０１ｄ３が前記フォントデータファイルの容量調整を行う構成としても良く、この場合、使用者の意思に関わらず、自動的に前記容量調整が実行されるため、使用者の意思確認を行う間のタイムラグは生じず、作業効率を向上させることができる。
【００５２】
上述の実施例では、前記補助ファイルは、フォントデータファイルにより構成されるものであったが、前記識別情報を表す画像ファイルにより構成されるものであってもよい。つまり、前記画像ファイルは、例えば、前記ＵＳＢメモリ３５に格納されたファイルのファイル名と、前記ファイル名と対応して付された連続番号からなる一覧の画像ファイルであれば、前記ＵＳＢメモリ３５にフォントデータファイルを格納する必要は無く、前記ファイル指定手段３０１ｃを有さず、且つ、前記ＵＳＢメモリ３５に格納されたファイルのファイル名を印刷するために用いるフォントデータファイルを備えない画像形成装置を使用者が使用する場合においても、少なくとも前記ＵＳＢメモリ３５に格納されたファイルのファイル名を確実に知ることができる。
【００５３】
ここで、上述の別実施例においては、前記識別情報出力手段３０１ｄの備える手段として、図５に示すように、前記補助ファイル取得手段３０１ｄ２にかえて、基準ファイル取得手段３０１ｄ５と、補助ファイル生成手段３０１ｄ６を備える構成とすればよい。ここで、前記補助ファイル生成手段３０１ｄ６は、画像ファイルからなる補助ファイルを生成するものであり、前記基準ファイル取得手段３０１ｄ５は、前記補助ファイル生成手段３０１ｄ６が前記補助ファイルを生成する際に用いるフォントデータファイル等からなる基準ファイルを、前記外部機器２から取得するものである。但し、これに限定するものではなく、前記メモリ３６に格納されたフォントデータファイル等を前記基準ファイルとして用いることができる場合は、前記補助ファイル切替手段３０１ｆにかえて、前記基準ファイル切替手段３０１ｇが、前記基準ファイル取得手段３０１ｄ５に指示し、前記メモリ３６に格納されたフォントデータファイル等を取得する構成としても良い。
【００５４】
また、補助ファイル容量調整手段３０１ｄ４は、画像ファイルである前記補助ファイルの画質を調整し、画質を落とすことで前記補助ファイルの容量を小さくすることができる。但し、前記識別情報として印刷出力された際に、使用者が判別できる程度の画質を確保して容量調整を行うように、前記補助ファイル容量調整手段３０１ｄ４は構成されるべきである。
【００５５】
加えて、上述の別実施例においては、前記ＵＳＢメモリ３５に格納されたファイルが画像ファイルを含む場合は、前記識別情報は、前記ＵＳＢメモリ３５に格納されたファイルのファイル名と、前記ファイル名と対応して付された連続番号からなる一覧に、前記印刷対象ファイルのサムネイル画像を加えたものとしてもよく、この場合、前記サムネイル画像を出力することのできない画像形成装置においても、印刷対象ファイルを指定する際に、希望のファイルを正しく選択することができる。
【００５６】
更に、上述の別実施例においては、前記ＵＳＢメモリ３５に識別情報の画像ファイルからなる前記補助ファイルが格納されているときに、前記ＵＳＢメモリ３５に格納されたファイルに追加、またはファイル名が変更されると、現状の識別情報を印刷出力することができないが、この対策として、前記識別情報出力手段３０１ｄに補助ファイル整合手段３０１ｄ７を備え、前記識別情報の印刷出力を実行する前に、前記補助ファイルの前記識別情報と現状の識別情報の整合を取り、矛盾があると判断したときには、前記補助ファイル生成手段３０１ｄ６に指示して、改めて補助ファイルを生成する構成とすればよい。
【００５７】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００５８】
【図１】本実施例におけるプリンタの機能ブロック図
【図２】本実施例におけるプリンタと外部機器のネットワークの説明に用いる図
【図３】本実施例における識別情報の印刷出力の説明に用いる図
【図４】本実施例における警告メッセージを表示する警告画面の説明図
【図５】別実施例におけるプリンタの機能ブロック図
【符号の説明】
【００５９】
３３ｃ：外部メモリ装着部
３５：外部メモリ（ＵＳＢメモリ）
３６：メモリ
３０１：操作制御部
３０１ａ： 着脱検知手段
３０１ｂ： 残容量確認手段
３０１ｃ： ファイル指定手段
３０１ｄ： 識別情報出力手段
３０１ｄ１：補助ファイル確認手段
３０１ｄ２：補助ファイル取得手段
３０１ｄ３：補助ファイル容量調整手段
３０１ｄ４：補助ファイル格納手段
３０１ｅ：メッセージ出力手段
３０１ｆ：補助ファイル切替手段
【図１】
0004573805.tif 000002
【図２】
0004573805.tif 000003
【図３】
0004573805.tif 000004
【図４】
0004573805.tif 000005
【図５】
0004573805.tif 000006